【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
媒体処理装置のための加圧ローラであって、
第１の端と、第２の端と、内側円筒壁と、外側円筒壁とを有する中空円筒部材であって、前記内側円筒壁が、内側円筒壁の直径方向に対向する部分の間を前記内側円筒壁の円周全体の周囲に延在し、かつ前記空洞円筒部材の前記第１の端から前記第２の端まで延在する空洞を形成し、前記内側円筒壁が、前記内側円筒壁から延在する少なくとも１つのパドルを有する、空洞円筒部材と、
前記外側円筒壁に近接して配置され、前記空洞円筒部材の前記第１の端から前記第２の端までの前記外側円筒壁を覆い、前記加圧ローラの外周面を画定するエラストマー層と、
前記空洞円筒部材の前記第１の端と密着して接続する第１のエンドベルと、
前記空洞円筒部材の第２の端と密着して接続する第２のエンドベルであって、前記第１のエンドベルトと前記第２のエンドベルとが前記空洞円筒部材内の前記空洞に対する流体の出入りを防ぐ、第２のエンドベルトと、
前記空洞を９５％以下の割合で満たし、前記空洞円筒部材と共にニップを形成する別のローラにより前記空洞円筒部材に伝導される熱を吸収する前記空洞内の液体の容積と、
を含み、
前記内側円筒壁から延在する前記少なくとも１つのパドルが、前記空洞円筒部材が回転すると、前記空洞内の液体を混ぜて、前記空洞円筒部材に吸収された前記熱を前記液体全体に分散して、前記ニップ内における前記空洞円筒部材の均一な熱膨張を可能にするように構成されている、加圧ローラ。
【請求項２】
前記空洞円筒部材の前記内側円筒壁が、
前記内側円筒壁から延在する少なくとも１つのフィンであって、前記液体を混ぜ前記空洞円筒部材により吸収された前記熱を前記空洞内で分散して、前記ニップ内における前記空洞円筒部材の均一な熱膨張を可能にするよう構成される、少なくとも１つのフィンをさらに含む、請求項１に記載の加圧ローラ。
【請求項３】
前記空洞円筒部材が、実質的にステンレス鋼でできている、請求項１に記載の加圧ローラ。
【請求項４】
前記エラストマー層が、実質的にポリウレタンでできている、請求項１に記載の加圧ローラ。
【請求項５】
前記空洞円筒部材の前記第１の端および前記第２の端での前記エラストマー層の外径が、前記空洞円筒部材の中央部分での前記エラストマー層の外径より小さい、請求項１に記載の加圧ローラ。
【請求項６】
前記エラストマー層の前記外周面は、圧力により前記別のローラと接触して前記ニップを形成するよう構成される、請求項１に記載の加圧ローラ。
【請求項７】
媒体処理装置のための加圧ローラであって、
第１の端と、第２の端と、内側円筒壁と、外側円筒壁とを有する中空円筒部材であって、前記内側円筒壁が、内側円筒壁の直径方向に対向する部分の間を前記内側円筒壁の円周全体の周囲に延在し、かつ前記空洞円筒部材の前記第１の端から前記第２の端まで延在する空洞を形成する、空洞円筒部材と、
前記外側円筒壁に近接して配置され、前記空洞円筒部材の前記第１の端から前記第２の端までの前記外側円筒壁を覆い、前記加圧ローラの外周面を画定するエラストマー層と、
前記空洞円筒部材の前記第１の端と密着して接続する第１のエンドベルと、
前記空洞円筒部材の第２の端と密着して接続する第２のエンドベルであって、前記第１のエンドベルトと前記第２のエンドベルとが前記空洞円筒部材内の前記空洞に対する流体の出入りを防ぐ、第２のエンドベルと、
前記空洞円筒部材の中心を通過して軸方向に前記第１のエンドベルと前記第２のエンドベルとの間を延在する中実棒であって、該中実棒の前記外周面から延在する前記少なくとも１つのパドルを有する、中実棒と、
前記空洞を９５％以下の割合で満たし、前記空洞円筒部材と共にニップを形成する別のローラにより前記空洞円筒部材に伝導される熱を吸収する前記空洞内の流体の容積と、
を含み、
前記中実棒から延在する前記少なくとも１つのパドルが、前記空洞円筒部材が回転すると、前記空洞内の流体を混ぜて、前記空洞円筒部材に吸収された前記熱を前記液体全体に分散して、前記ニップ内の前記空洞円筒部材の均一な熱膨張を可能にするように構成されている、加圧ローラ。
【請求項８】
前記中実棒の前記外周面が、
前記中実棒の前記外周面から延在する少なくとも１つのフィンであって、前記流体を混ぜ前記空洞円筒部材により吸収された前記熱を前記空洞内で分散して、前記ニップ内の前記空洞円筒部材の均一な熱膨張を可能にするよう構成される、少なくとも１つのフィンをさらに含む、請求項７に記載の加圧ローラ。
【請求項９】
前記空洞円筒部材が、実質的にステンレス鋼でできている、請求項７に記載の加圧ローラ。
【請求項１０】
前記エラストマー層が、実質的にポリウレタンでできている、請求項７に記載の加圧ローラ。
【請求項１１】
前記空洞円筒部材の前記第１の端および前記第２の端での前記エラストマー層の外径が、前記空洞円筒部材の中央部分での前記エラストマー層の外径より小さい、請求項７に記載の加圧ローラ。
【請求項１２】
前記エラストマー層の前記外周面は、圧力により前記別のローラと接触して前記ニップを形成するよう構成される、請求項７に記載の加圧ローラ。
【請求項１３】
印刷装置であって、
第１のローラと、
第２のローラであって、
第１の端と、第２の端と、内側円筒壁と、外側円筒壁とを有する中空円筒部材であって、前記内側円筒壁が、内側円筒壁の直径方向に対向する部分の間を前記内側円筒壁の円周全体の周囲に延在し、かつ前記空洞円筒部材の前記第１の端から前記第２の端まで延在する空洞を形成する、空洞円筒部材と、
前記外側円筒壁に近接して接続され、前記空洞円筒部材の前記第１の端から前記第２の端までの前記外側円筒壁を覆う、エラストマー層と、
前記空洞円筒部材の前記第１の端と密着して接続する第１のエンドベルと、
前記空洞円筒部材の前記第２の端と密着して接続する第２のエンドベルであって、前記第１のエンドベルトと前記第２のエンドベルとが前記第２のローラの前記空洞円筒部材内の前記空洞に対する流体の出入りを防ぐ、第２のエンドベルトと、
前記空洞を９５％以下の割合で満たし、前記第２のローラの前記エラストマー層と共にニップを形成する前記第１のローラにより前記空洞円筒部材に伝導される熱を吸収し、かつ前記空洞円筒部材が回転すると、前記第１のローラから吸収した前記熱を前記流体全体に分散して、前記ニップ内の前記空洞円筒部材の均一な熱膨張を可能にする、前記空洞内の液体の容積と、
前記空洞円筒部材の前記内側円筒壁から延在する少なくとも１つのパドルであって、流体を混ぜて、前記空洞円筒部材に吸収された前記熱を前記空洞内に分散して、前記ニップにおける前記空洞円筒部材の均一な熱膨張を可能にするように構成されている、少なくとも１つのパドルと、
を含む、第２のローラと、
インク滴を媒体ウェブ上に吐出するよう構成された複数の印字ヘッドと、
前記インク滴が前記媒体ウェブ上に吐出された後、前記媒体ウェブを前記ニップに通過させて、前記インク滴を拡散し、前記媒体ウェブ上にインク画像を形成するよう構成された媒体搬送部材と、を含む印刷装置。
【請求項１４】
前記第２のローラが、
前記内側円筒壁から延在する少なくとも１つのフィンであって、前記液体を混ぜ前記空洞円筒部材により吸収された前記熱を前記空洞内に分散して、前記ニップ内の前記空洞円筒部材の均一な熱膨張を可能にするよう構成された、少なくとも１つのフィンをさらに含む、請求項１３に記載の印刷装置。
【請求項１５】
前記空洞円筒部材が、実質的にステンレス鋼でできている、請求項１３に記載の印刷装置。
【請求項１６】
前記エラストマー層が、実質的にポリウレタンでできている、請求項１３に記載の印刷装置。
【請求項１７】
前記空洞円筒部材の前記第１の端および前記第２の端での前記エラストマー層の外径が、前記空洞円筒部材の中央部分での前記エラストマー層の外径より小さい、請求項１３に記載の印刷装置。